(57)【特許請求の範囲】
【請求項１】
受け取った紙幣を収納し、収納した紙幣を釣銭として再利用する紙幣処理機において、
投入した紙幣の真偽と金種を判別する入金判別部と、
判別された紙幣を受入口より受け入れて積載収納し、出金時には積載収納された紙幣を払出口より払い出す紙幣収納庫と、
前記入金判別部が投入された紙幣を真券と判定した場合に金種別に加算が行われ、出金時に減算が行われる金種ごとの在高カウンタと、
前記入金判別部が投入された紙幣を偽券と判定した場合に加算が行われる判読不能件数加算部と、
前記在高カウンタに記憶された枚数と前記判読不能件数加算部に記憶された判読不能件数に偽券と判定された紙幣が複数とした場合の投入枚数を推定する係数を乗じた値との和を出金可能枚数として保持する出金可能枚数カウンタと、
出金時に前記紙幣収納庫より払い出された紙幣を判別する出金判別部と、
前記出金判別部が出金に値しない紙幣であると判断された紙幣を前記紙幣収納庫の前記受入口へ導くようにした循環経路と、
を備えていることを特徴とする紙幣処理機。
【請求項２】
投入した紙幣の真偽と金種を判別する入金判別部と、入金判別した紙幣を積載収納する紙幣収納庫と、前記紙幣収納庫より払い出された紙幣の金種を判別する出金判別部とを備えた紙幣処理機にあって、前記入金判別部が紙幣の真偽と金種を判別するときの紙幣処理機の制御方法において、
前記入金判別部が投入された紙幣を真券と判定した場合は、前記紙幣を真券として前記紙幣収納庫に収納するとともに判別された金種の在高に加算し、偽券と判定した場合には、判読不能件数として加算するとともに偽券と判定された紙幣についてもそのまま前記紙幣収納庫に収納するようにしたことを特徴とする紙幣処理機の制御方法。
【請求項３】
前記判読不能件数に偽券と判定された紙幣が複数とした場合の投入枚数を推定する係数を掛け合わせて得た数値を所定の金種の収納枚数として記憶し、出金時に出金可能な枚数として参照するようにしたことを特徴とする請求項２記載の紙幣処理機の制御方法。
【請求項４】
前記係数は、運用上で発生した判別不能件数と実収納枚数とから統計的に求めた値であることを特徴とする請求項３記載の紙幣処理機の制御方法。
【発明の詳細な説明】
【０００１】
【発明の属する技術分野】
本発明は紙幣処理機およびその制御方法に関し、特にスーパーマーケットやコンビニエンスストアなどの会計場において、受け取った紙幣を収納し、さらには、その収納した紙幣を釣銭として再利用するような紙幣処理機（釣銭払出し機）にあって、その受け取った紙幣の紙幣処理機への入金処理を高速化した紙幣処理機およびその制御方法に関する。
【０００２】
【従来の技術】
近年、スーパーマーケットやコンビニエンスストアなどにＰＯＳ（販売時点情報管理）システムの上位装置に接続され、受け取った紙幣を釣銭として再利用することができる紙幣処理機（釣銭払出し機）が硬貨処理機とともに導入されている。
【０００３】
ここで、紙幣処理機とは、概略的には、投入された紙幣を、機械的に取り込み、紙幣収納庫に積載収納し、その入金情報を外部の上位装置に送信し、また外部の上位装置からの釣銭払い出し要求に応じて積載収納されている紙幣の入金情報を送信し、該当する金額の釣銭を払出す機能を持つものである。
【０００４】
このような、紙幣処理機や硬貨処理機の導入目的は、金銭の払出しと収納作業とを自動化し、レジを担当するキャッシャの現金取り扱いの負担を軽減しつつ、精算業務の効率を上げること、および違算の撲減である。
【０００５】
従来の紙幣処理機においては、金種ごとの収納枚数を正確に把握するには、紙幣を投入口から１枚ずつ投入し、真券と判定された紙幣は収納し、偽券と判定された紙幣は、搬送装置を逆転して投入口へ戻すようにしている。または、装置内部に専用収納庫を設けたり、投入口と出金口との間に切換え可能な通路を設けるようにして、偽券判定がなされた媒体（紙幣）を、専用収納庫へ収納するようにしたり出金口へ返却するようにしたものが知られている。
【０００６】
しかし、偽券判定がなされた紙幣を投入口に戻すタイプの装置では、逆転動作により収納作業が中断し、効率が低下する。また、専用の収納庫あるいは搬送通路の切り換え装置を備えるタイプの装置では、それらの収納スペースを必要とするため、装置全体を小型化することには適していない。
【０００７】
一方で、スーパーマーケットなどの業態では、お客とのトラブル防止から、釣銭をお客へ渡し、了承された後、受け取り金を金銭ドロア（引出し）に収納する作業フローが一般的である。
【０００８】
しかし、この作業フローには、受け取った紙幣を作業フローの最後にて収納するため、キャッシャがお客からの受け取り金を正確に読み取り、そして金銭ドロアにすべて収納した、ということを確認することはできない。
【０００９】
このような問題に対しては、レジのキーに「１００００」キーなどの高額紙幣キーを設けておき、五千円紙幣と万円紙幣の見間違いがないよう意識を強化するなどの手段を設けて対応している。しかし、レジ担当者が故意に不正した場合は確認のしようがない。
【００１０】
この解決手段としては、金銭処理機を導入し、受け取り金額を機械にて算出し（入金確定）、売上額を減算し、釣銭を放出する（釣銭放出）、という方法が考えられ、ガソリンスタンドなどで実際に運用されている。
【００１１】
【発明が解決しようとする課題】
しかし、スーパーマーケットのレジでは、上述のような紙幣処理機（釣銭払出し機）を導入する店が多くなったものの、入金額の算出を機械に行わせると処理時間が発生するため、スーパーマーケットのレジへ釣銭払出し機を導入して処理スピードをアップしようという最大の目的に反することになり、釣銭払出し機導入の障害となっている。
【００１２】
したがって、運用形態の基本的な作業フローは変えないで、装置として小型で安価、かつ高速な処理ができるものが望まれている。
本発明はこのような点に鑑みてなされたものであり、受け取った紙幣をまとめて投入することができるような小型で安価、かつ高速な処理が可能であって、通常の運用に適用可能な紙幣処理機およびその制御方法を提供することを目的とする。
【００１３】
【課題を解決するための手段】
本発明では上記問題を解決するために、受け取った紙幣を収納し、収納した紙幣を釣銭として再利用する紙幣処理機において、投入した紙幣の真偽と金種を判別する入金判別部と、判別された紙幣を受入口より受け入れて積載収納し、出金時には積載収納された紙幣を払出口より払い出す紙幣収納庫と、前記入金判別部が投入された紙幣を真券と判定した場合に金種別に加算が行われ、出金時に減算が行われる金種ごとの在高カウンタと、前記入金判別部が投入された紙幣を偽券と判定した場合に加算が行われる判読不能件数加算部と、前記在高カウンタに記憶された枚数と前記判読不能件数加算部に記憶された判読不能件数に偽券と判定された紙幣が複数とした場合の投入枚数を推定する係数を乗じた値との和を出金可能枚数として保持する出金可能枚数カウンタと、出金時に前記紙幣収納庫より払い出された紙幣を判別する出金判別部と、前記出金判別部が出金に値しない紙幣であると判断された紙幣を前記紙幣収納庫の前記受入口へ導くようにした循環経路と、を備えていることを特徴とする紙幣処理機が提供される。
【００１４】
このような紙幣処理機によれば、紙幣が１枚ずつ入金された場合は、入金判別部により判別された金種に該当する在高カウンタに枚数の１を加算し、かつ紙幣収納庫に収納する。紙幣を束にして入金されたことによって入金判別部が判別できなかった場合は、その都度、判読不能件数加算部に１が加算され、束入金された紙幣は同じように紙幣収納庫に収納される。これにより、束入金が可能なことから、高速な入金処理が可能であり、しかもそのための特別な機構的手段を必要としないため、小型かつ安価であって、通常の運用にも適用可能である。
【００１５】
また、本発明によれば、投入した紙幣の真偽と金種を判別する入金判別部と、入金判別した紙幣を積載収納する紙幣収納庫と、前記紙幣収納庫より払い出された紙幣の金種を判別する出金判別部とを備えた紙幣処理機にあって、前記入金判別部が紙幣の真偽と金種を判別するときの紙幣処理機の制御方法において、前記入金判別部が投入された紙幣を真券と判定した場合は、前記紙幣を真券として紙幣収納庫に収納するとともに判別された金種の在高に加算し、偽券と判定した場合には、判読不能件数として加算するとともに偽券と判定された紙幣についてもそのまま紙幣収納庫に収納するようにしたことを特徴とする紙幣処理機の制御方法が提供される。
【００１６】
このような紙幣処理機の制御方法によれば、入金される紙幣はキャッシャが真券であることを確認していることから、入金判別部による判別結果によらず、すべて紙幣収納庫に収納する。ただし、入金判別部が判別できなかった場合は、判別不能があったことを判別不能件数として記憶するようにしている。これにより、判読不能件数に所定の係数を掛け合わせて得た数値を所定の金種の収納枚数と換算し、出金時に出金可能な枚数として利用することが可能になる。判別不可の紙幣を返却させることはないので、入金処理を高速に行うことができる。
【００１７】
【発明の実施の形態】
以下、本発明の実施の形態を、ＰＯＳ端末として使用されるスーパーマーケットやコンビニエンスストア向けの紙幣処理機に適用した場合を例に図面を参照して詳細に説明する。
【００１８】
図１は紙幣処理機の外観を示す図、図２は紙幣処理機の内部構成を示す側断面図である。これらの図において、紙幣処理機１は、外観的には、紙幣を入金するための投入口２と、紙幣処理機１から紙幣が釣銭として払い出される出金口３と、釣銭としては利用されない高額紙幣（万円）が収納される紙幣回収庫４が設けられている。
【００１９】
紙幣の投入口２の近傍には、入金判別部５が設けられ、その先に紙幣収納庫６の紙幣受入口７がある。紙幣収納庫６の下部には積載収納された紙幣を下から１枚ずつ分離して繰り出す繰り出し部８が設けられている。紙幣が繰り出される紙幣収納庫６の払出口の下流には出金判別部９が設けられている。紙幣収納庫６の払出口は出金口３および垂直方向に配置された循環通路１０に接続されている。循環通路１０の下端部には紙幣の搬送路を切り換える切換ゲート１１が設けられ、上端部は紙幣受入口７に接続されている。また、循環通路１０の途中には紙幣回収庫４に搬送路を切り換えるための切換ゲート１２を有している。ここで、出金口３、紙幣回収庫４、紙幣収納庫６、循環通路１０は一体になっていて内部ユニットを構成し、この内部ユニットは引出し可能な状態で筐体１３に収められている。
【００２０】
ここで、通常の取引時の紙幣処理機１の動作について説明する。まず、投入口２より紙幣が投入されると、図示しない投入検知センサによって紙幣の投入が検出され、図示しない投入搬送モータが駆動される。紙幣は、入金判別部５へ導かれて行き、ここで金種の判別および真偽の判定が行われる。ここで、動作モードが通常モードに設定されている場合、金種の判別および真偽の判定の結果、入金判別部５が真券（本物）であると判別できなかった紙幣については、投入口２に返却される。判読不能券収納モードに設定されている場合で入金判別部５が真券であると判別できないときは、束入金があったと判断され、返却されることなく収納動作は続けられる。
【００２１】
すなわち、投入口２は複数枚の紙幣の束入金を許容しているため、入金判別部５には、１枚または複数枚の紙幣が通過することになる。１枚の紙幣が投入された場合、入金判別部５は、その投入された紙幣の金種および真偽の判定を行うことができる。しかし、束入金の場合は、入金判別部５は金種判定はできないので判別不能となり、束入金があったと判断する。入金判別部５で判別された紙幣は、紙幣受入口７を通って、紙幣収納庫６に導かれ、紙幣収納庫６に積載収納される。
【００２２】
収納された紙幣は、図示しない上位制御装置から釣銭の払い出し指令があったとき、または、図示しない操作・表示部で払い出しの操作をしたときには、繰り出し部８により紙幣収納庫６の下から紙幣が１枚ずつ繰り出され、出金判別部９にて金種判別される。ここで、出金すべき紙幣と判別されたならば、切換ゲート１１が出金口側に切り換えられ、紙幣は出金口３へ導かれる。また、繰り出された紙幣が出金すべきでない紙幣または判読不能紙幣と判別された場合には、切換ゲート１１は循環通路側に切り換えられ、循環通路１０を経由して再度、紙幣収納庫６に積載収納される。なお、繰り出された紙幣が釣銭としては使用されない高額紙幣の場合には、切換ゲート１２が紙幣回収庫側に切り換えられ、その高額紙幣は紙幣回収庫４に収納される。
【００２３】
次に、この紙幣処理機１の制御部の構成について説明する。
図３は紙幣処理機の制御部の構成例を示すブロック図である。紙幣処理機１の制御部２０は、入金判別部５の入金判別センサ２１および出金判別部９の出金判別センサ２２に接続された金種判別部２３と、プロセッサ（ＣＰＵ）２４と、装置内在高メモリ２５と、搬送モータ２６を制御駆動する搬送制御部２７と、モード判定部２８と、監視タイマ２９と、伝送部３０とを備えている。装置内在高メモリ２５は、取り扱う金種分の在高カウンタである千円枚数カウンタ２５ａ、五千円枚数カウンタ２５ｂ、および万円枚数カウンタ２５ｃを有し、さらに、入金時判読不能件数カウンタ２５ｄおよび出金可能状態判定用収納枚数カウンタ２５ｅを有している。伝送部３０は上位機器３１に接続されている。
【００２４】
搬送制御部２７は、プロセッサ２４が投入口２の近傍に設けられた図示しない投入検知センサからの紙幣投入検知を受けたときや、上位機器３１から釣銭の払出し指令があったとき、搬送モータ２６を起動するよう制御する。金種判別部２３は、流通している紙幣の３金種を判別する機能を有している。この金種判別部２３は入金時に入金判別センサ２１が検出した紙幣の金種を判別し、その判別結果をプロセッサ２４に送る。プロセッサ２４はその判別結果を受けて装置内在高メモリ２５の該当する金種のカウンタに送り、＋１の加算をする。金種判別部２３はまた、出金判別センサ２２が紙幣収納庫６から繰り出された紙幣を検出したとき、その金種を判別し、プロセッサ２４に送る。プロセッサ２４はその判別結果を装置内在高メモリ２５に送り、該当する金種のカウンタに対して−１の減算をする。これにより、投入口２および出金口３を通じて入出金された紙幣の枚数は、装置内在り高メモリ２５にて管理されていることになる。ただし、入金時に束入金などにより、入金判別センサ２１が入金紙幣を判別できなかった場合は、その都度、入金時判読不能件数カウンタ２５ｄに対して＋１の加算をする。また、装置内在高メモリ２５の出金可能状態判定用収納枚数カウンタ２５ｅは、プロセッサ２４が装置内在高メモリ２５内の他のカウンタの値を参照して、装置内にあると推定される出金可能枚数を演算により求めて格納する。モード判定部は、設定されている動作モードを判別し、プロセッサ２４は判別された動作モードに応じた処理をする。監視タイマ２９は、お客から受け取った貨幣に万円紙幣が含まれていた場合に操作する図示しない操作・表示部の「１００００」キーの押下動作に応答して所定時間、高額紙幣入金待ち状態にするためのものである。
【００２５】
なお、図示はしないが、この制御部２０は各種検知センサに応答して搬送モータ２６を駆動するとともに、繰り出し部８の起動・停止、切換ゲート１１，１２の切り換え制御なども行うことができる。
【００２６】
次に、紙幣処理機１の入出金処理について説明する。
図４は通常入金処理の流れを示すフローチャートである。図示しない操作・表示部を通して動作モードが通常モードに設定されているときに、まず、投入口２に紙幣を投入すると、図示しない投入検知センサが紙幣を検知し（ステップＳ１）、制御部２０にその旨を通知する。すると、制御部２０は、搬送制御部２７を介して搬送モータ２６を含む搬送部を駆動し、紙幣の取り込みを開始する（ステップＳ２）。取り込まれた紙幣は、入金判別部５に到達し、入金判別部５は入金鑑別を行い、その紙幣の特徴から金種が判定される（ステップＳ３）。次に、鑑別結果が真券かどうかが判断される（ステップＳ４）。鑑別の結果、その紙幣が真券であった場合は、装置内在高メモリ２５内の金種に対応したカウンタに加算し（ステップＳ５）、その紙幣を紙幣収納庫６まで搬送して収納した後、搬送部を停止させる（ステップＳ６）。
【００２７】
もし、鑑別結果が偽券（１枚の真券でない意味）となった場合には、搬送部を停止し（ステップＳ７）、搬送部を逆転駆動して、その紙幣を投入口へ戻す（ステップＳ８）。そして、搬送部を停止し（ステップＳ９）、紙幣の投入待ちとなる。
【００２８】
図５は換算許可入金処理の流れを示すフローチャートである。図示しない操作・表示部を通して動作モードが判読不能券収納モード・収納枚数変換モードに設定されているときには、まず、投入口２に紙幣が投入されると、図示しない投入検知センサが紙幣を検知し（ステップＳ１１）、制御部２０は搬送部を駆動する（ステップＳ１２）。取り込まれた紙幣は、入金判別部５にて入金鑑別が行われる（ステップＳ１３）。次に、鑑別結果が真券かどうかが判断される（ステップＳ１４）。鑑別の結果、その紙幣が真券であった場合は、装置内在高メモリ２５内の金種に対応したカウンタに加算し（ステップＳ１７）、その紙幣を紙幣収納庫６まで搬送して収納し、搬送部を停止させる（ステップＳ１８）。
【００２９】
もし、鑑別結果が偽券（１枚の真券でない意味）となった場合には、制御部２０内のモード判定部２８が動作モードを判定し、プロセッサ２４は、搬送制御部２７に対して停止要求は出さず、そのまま搬送し、収納庫へ収納させる。このとき、装置内在高メモリ２５内の入金時判読不能件数カウンタ２５ｄに判読不能件数の「１」を加算する（ステップＳ１５）。そして、在高換算処理を行い、装置内在高メモリ２５内の出金可能状態判定用収納枚数カウンタ２５ｅを更新する（ステップＳ１６）。この在高換算処理は、次の式１に従って行われる。
【００３０】
【数１】
出金可能状態判定用収納枚数
＝千円判定枚数＋Ｋ×判定不能件数  ・・・（１）
ここで、Ｋは係数であり、その詳細は後述する。これにより、出金可能状態判定用収納枚数カウンタ２５ｅには、出金可能と思われる千円紙幣の枚数の値が記憶されることになる。
【００３１】
図６は出金処理の流れを示すフローチャートである。釣銭としての紙幣の支払いを行う場合は、まず、プロセッサ２４は装置内在高メモリ２５内の出金可能状態判定用収納枚数カウンタ２５ｅと五千円枚数カウンタ２５ｂおよび万円枚数カウンタ２５ｃとを参照して、出金可能であるか、すなわち釣銭として指示された金額を構成する在高が装置内にあるかどうかが判断される（ステップＳ２１）。ここで、在高がなく、出金不可能ならば、異常終了する。出金が可能ならば、繰り出し部８を駆動し、紙幣収納庫６から紙幣を１枚繰り出す（ステップＳ２２）。次に、出金判別部９において、繰り出された紙幣の鑑別を行う（ステップＳ２３）。ここで、紙幣が釣銭の一部として出金に該当する金種かどうかが判断される（ステップＳ２４）。もし、紙幣収納庫６から繰り出された紙幣が該当金種でなかったり、出金判別部９にて金種の判別ができなかった場合は、切換ゲート１１を循環通路１０の側へ切り換えて紙幣収納庫６へ戻す（ステップＳ２５）。なお、このとき、出金判別部９による出金鑑別結果が釣銭に再利用されない金種（万円）であれば、循環通路１０の途中の切換ゲート１２を紙幣回収庫４の側へ切り換え、紙幣収納庫６から繰り出された紙幣を紙幣回収庫４に回収することになる。
【００３２】
ステップＳ２４の判断にて、出金に値する金種であると判断された場合は、切換ゲート１１を出金口３の側へ切り換えて出金させる（ステップＳ２６）。次に、装置内在高メモリ２５内の該当金種のカウンタおよび出金可能状態判定用収納枚数カウンタ２５ｅから１を減算して、装置内在高の減算を行う（ステップＳ２７）。以上のステップＳ２２からステップＳ２７の処理は、出金が釣銭として指示された金額に達するまで行われる。出金が指示された金額に達すると、紙幣回収庫４からの紙幣の繰り出しが完了し（ステップＳ２８）、繰り出し部８を停止する（ステップＳ２９）。
【００３３】
ここで、あるスーパーマーケットのレジにおいて、お客が支払う貨幣のうち、紙幣によって支払われた金種別の枚数を調べた結果を以下に示す。
図７はお客の紙幣による支払いパターンの例を示す図である。スーパーマーケットのレジにおける紙幣の代表的な支払いパターンによれば、支払い件数全体の約７０％が万円１枚または五千円１枚、あるいは千円１枚である。それ以外が紙幣の複数枚の組み合せである。図７にて破線で囲って示したように、この複数枚の組み合せに着目してみると、千円２枚が全体の約５０％であり、千円の複数枚は全体の９０％以上であることがわかる。これらの点から収納枚数換算式として式２が得られる。
【００３４】
【数２】
千円換算収納枚数（在高）＝千円在高＋Ｋ×判読不能件数  ・・・（２）
ここで、係数Ｋを可変させて換算値をシミュレーションしてみると、以下の通りになる。
【００３５】
図８は千円紙幣の実収納枚数と換算値との関係を示した図である。この図８から、千円紙幣の実収納枚数は３１１枚であり、これに対し、判読不能件数（複数枚入金件数）に２，２．５，および３の各係数Ｋを掛けて千円判定枚数を加えた値は、２４５枚、２８９枚、および３４４枚である。このシミュレーションの結果から、計算上は、Ｋ＝２．７が実収納枚数の換算には最適値であり、Ｋ＝２では、実運用上、約８０％再現できることがわかる。
【００３６】
次に、スーパーマーケットやコンビニエンスストアなどのレジの作業フローについて説明する。
図９は代表的なレジの作業フローの例を示す図である。この図９によれば、まず、キャッシャは、お客がレジに持ってきた買い上げ品について金額を登録する。この商品の登録は、近年ではＰＯＳスキャナによりバーコードスキャンを行うことによってなされる。そして、この登録された商品の合計額がＰＯＳにて計算され、その買い上げ合計額をお客に提示する。
【００３７】
お客は、その買い上げ額、または幾分超える金額を支払う。このとき、支払った金銭は預かり皿（吟味台ともいう）に乗せて保留する。そして、その数種類の貨幣群から受け取り金額を計算し、ＰＯＳキーボードに登録する。このとき、受け取った貨幣中に万円札が含まれていた場合は、ＰＯＳキーボード上に設けてある「１００００」キーを押下し、五千円と間違えないよう、意識させるようにしてある。
【００３８】
上記の商品登録を行うタイミングにてＰＯＳ端末は釣銭機に対して出金コマンドを送出する。釣銭機はその指示に対して各金種にて金額を構成し、釣銭の放出を行う。そして、キャッシャは、釣銭とレシートをお客へ渡す。お客は了承すれば、そのまま受け取り、キャッシャはあいさつをし、これによってお客との取引が完了する。
【００３９】
その後、預かり皿に保留しておいた貨幣を釣銭機（紙幣処理機・硬貨処理機）に投入し、全処理を完了して次のお客の処理に移る。
ここで、高額紙幣の登録間違いの撲滅を目指して、ＰＯＳ側（上位機器）および紙幣処理機（釣銭機）は次のように動作する。
【００４０】
図１０は高額紙幣の入金確認時の動作を示すタイムチャートである。まず、ＰＯＳ側（上位機器）は、「１００００」キーの押下があったときには、出金指示コマンド送出後、紙幣処理機の出金の完了を確認する。その後、ＰＯＳ端末は、高額紙幣入金待ちコマンドを紙幣処理機に対して送出する。これを受けて、紙幣処理機は、監視タイマ２９をスタートさせ、高額紙幣入金待ち状態となる。キャッシャは、レジの作業フローに従い、放出された釣銭とレシートとをお客に渡すことになる。
【００４１】
お客は、自分の予測したのと同額の釣銭ならば、そのまま受け取る。キャッシャがお礼のあいさつを行い、取引を完了する。キャッシャは取引が了承されたものとして、受取った硬貨は硬貨投入口へ入れ、紙幣は紙幣処理機の投入口へ入れる。
【００４２】
紙幣処理機は、入金された紙幣の金種を入金判別部５にて判定する。１００００円以外ならば、在高加算を行い、そして、収納庫へ積載収納する。入金した紙幣が１００００円であった場合は、制御部２０のプロセッサ２４は、伝送部３０に肯定レスポンスをセットする。
【００４３】
これと同時に制御部２０は、高額紙幣入金待ち状態を解除する。これをＰＯＳ側から見た場合、紙幣処理機を、高額紙幣入金待ち状態にした後、定周期にて、紙幣処理機の状態を監視（高額紙幣入金確認コマンドによる）していることになる。１００００円が入金される前では、伝送部３０によりビジーレスポンスが返答されてくる。そして、１００００円の入金が確認された後、高額紙幣入金確認コマンドを与えると、紙幣処理機の伝送部３０に準備してあった肯定レスポンスがＰＯＳ側に返答され、これによってＰＯＳは、１００００円の入金を確認することができる。なお、高額紙幣入金待ち状態は、１００００円の入金に応答する肯定レスポンスがない場合、監視タイマ２９がタイムアップすることによって解除される。また、これは高額紙幣の扱いを意識させることを目的としているため、監視タイマ２９がタイムアップする前に１００００円の入金がなかったとしても、伝送部３０は否定レスポンスを返すだけで、特にエラー音を出すなどの処理はしない。
【００４４】
図１１は高額紙幣の入金確認時の別の動作を示すタイムチャートである。まず、ＰＯＳ側（上位機器）は、「１００００」キーの押下があったとき、出金指示コマンド送出後、紙幣処理機の出金の完了を確認する。これと同時に、紙幣処理機は、高額紙幣入金待ち状態となる。キャッシャは、レジの作業フローに従い、放出された釣銭とレシートとをお客に渡す。
【００４５】
お客は、自分の予測したのと同額の釣銭ならば、そのまま受け取る。キャッシャがお礼のあいさつを行い、取引を完了する。キャッシャは取引が了承されたものとして、受取った硬貨は硬貨投入口へ入れ、紙幣は紙幣処理機の投入口へ入れる。
【００４６】
その間、ＰＯＳは紙幣処理機に対し定期的に高額紙幣入金確認コマンドを発行し、それに対し、１００００円が入金されるまでは、紙幣処理機はビジーレスポンスを返答する。紙幣処理機は、入金された紙幣の金種を入金判別部５にて判定し、１００００円以外ならば、在高加算を行い、収納庫へ積載収納する。入金した紙幣が１００００円であった場合、制御部２０は、伝送部３０に肯定レスポンスをセットし、高額紙幣入金待ち状態を解除する。この高額紙幣入金待ち状態は、１００００円の入金に応答する肯定レスポンスがない場合、次の出金コマンドの発行によって解除される。
【００４７】
【発明の効果】
以上説明したように、本発明では、投入された紙幣を真券と判定した場合は、真券として紙幣収納庫に収納し、かつ各金種別のそれぞれの在高に加算し、偽券と判定した場合には、判読不能件数として加算し、かつ紙幣収納庫に収納する構成にした。これにより、特に機構的な追加なしで高速に入金処理ができる紙幣処理機を構成することができ、しかも通常の運用に適用可能である。
【００４８】
また、単純なコマンドとシーケンスにて、高額紙幣の入金確認が可能となり、レジの処理効率を下げることなく、また、レジを担当する者のモラル向上にもつながる。
【図面の簡単な説明】
【図１】紙幣処理機の外観を示す図である。
【図２】紙幣処理機の内部構成を示す側断面図である。
【図３】紙幣処理機の制御部の構成例を示すブロック図である。
【図４】通常入金処理の流れを示すフローチャートである。
【図５】換算許可入金処理の流れを示すフローチャートである。
【図６】出金処理の流れを示すフローチャートである。
【図７】お客の紙幣による支払いパターンの例を示す図である。
【図８】千円紙幣の実収納枚数と換算値との関係を示した図である。
【図９】代表的なレジの作業フローの例を示す図である。
【図１０】高額紙幣の入金確認時の動作を示すタイムチャートである。
【図１１】高額紙幣の入金確認時の別の動作を示すタイムチャートである。
【符号の説明】
１  紙幣処理機
２  投入口
３  出金口
４  紙幣回収庫
５  入金判別部
６  紙幣収納庫
７  紙幣受入口
８  繰り出し部
９  出金判別部
１０  循環通路
１１，１２  切換ゲート
１３  筐体
２０  制御部
２５  装置内在高メモリ
２５ｄ  入金時判読不能件数カウンタ
２５ｅ  出金可能状態判定用収納枚数カウンタ
２９  監視タイマ
３０  伝送部
【図１】
0003760628.tif 000002
【図２】
0003760628.tif 000003
【図３】
0003760628.tif 000004
【図４】
0003760628.tif 000005
【図５】
0003760628.tif 000006
【図６】
0003760628.tif 000007
【図７】
0003760628.tif 000008
【図８】
0003760628.tif 000009
【図９】
0003760628.tif 000010
【図１０】
0003760628.tif 000011
【図１１】
0003760628.tif 000012